(57)【要約】【課題】カプセル穿刺針が噴霧器の外部に露出しにくい構成を得る。【解決手段】カプセル挿入孔６が形成された本体部２と、カプセル挿入孔６内に対して進退可能なカプセル穿刺針９を有する可動部３とが、少なくともカプセル挿入孔６が露出する姿勢とカプセル挿入孔６が本体部２によって隠される姿勢との間で、相対回動可能に結合され、本体部２と可動部３とがカプセル挿入孔６が露出する姿勢にある状態で、本体部２（突起６ａの側壁６ｅ）によってカプセル穿刺針９の進出が規制される。【選択図】図７
2008080118.tif 000002
【特許請求の範囲】
【請求項１】
空気を圧送する空気圧送機構とカプセルに孔を開けるカプセル穿刺針とを備えるとともに、当該空気圧送機構によって圧送された空気によってカプセル内部に収容されていた薬剤を外部に噴出させる空気通路が形成された薬剤噴霧器において、
カプセルを保持するカプセル保持部が形成された第１分割体と、当該カプセル保持部内に対して進退可能な前記カプセル穿刺針を有する第２分割体とが、少なくともカプセル保持部が露出する姿勢とカプセル保持部が第２分割体によって隠される姿勢との間で、相対移動可能に結合され、
前記第１分割体と第２分割体とが前記カプセル保持部が露出する姿勢にある状態で、第１分割体によってカプセル穿刺針の進出が規制されるように構成されたことを特徴とする薬剤噴霧器。
【請求項２】
前記第１分割体にはカプセル保持部としてのカプセル挿入孔が形成され、
前記第１分割体と第２分割体とが、少なくともカプセル挿入孔が露出する姿勢とカプセル挿入孔が隠される姿勢との間で、相対回動可能に結合され、
前記第１分割体と第２分割体とが前記カプセル挿入孔が隠される姿勢にある状態では、前記カプセル穿刺針の第２分割体からの出口が前記カプセル挿入孔の開口部に臨んで前記カプセル穿刺針が当該開口部から当該カプセル挿入孔の内部へ進出可能となり、前記第１分割体と第２分割体とが前記カプセル挿入孔が露出する姿勢にある状態では、前記出口が前記カプセル挿入孔の側壁の外側に面して当該側壁によって前記カプセル穿刺針の進出が規制されるように構成されたことを特徴とする請求項１に記載の薬剤噴霧器。
【請求項３】
前記第１分割体に筒状の突起が形成されて当該突起の筒内孔が前記カプセル挿入孔とされ、
前記第２分割体に前記突起を挟持する一対のアーム部が設けられ、
前記突起およびアーム部のうちいずれか一方にガイド溝が形成されるとともに、他方には前記ガイド溝に案内される案内子が設けられ、
前記第１分割体と第２分割体とが前記カプセル挿入孔が隠される姿勢にある状態では、前記突起の端面と前記一対のアーム部間の奥面とが相互に当接して当該奥面によってカプセル挿入孔の開口部が塞がれるように構成されるとともに、前記ガイド溝に前記端面と奥面とが接離する方向に延在する部分が設けられ、前記第１分割体と第２分割体とを前記カプセル挿入孔が隠される姿勢から露出する姿勢に姿勢変化させるのに際して、前記端面と奥面とを相互に離間させるように構成されたことを特徴とする請求項２に記載の薬剤噴霧器。
【請求項４】
前記第１分割体にはカプセル保持部としてのカプセル挿入孔が形成され、前記第１分割体と第２分割体とが、少なくともカプセル挿入孔が露出する姿勢とカプセル挿入孔が隠される姿勢との間で、相対スライド可能に結合され、前記第１分割体と第２分割体とが前記カプセル挿入孔が隠される姿勢にある状態では、前記カプセル穿刺針の第２分割体からの出口が前記カプセル挿入孔の開口部に臨んで前記カプセル穿刺針が当該開口部から当該カプセル挿入孔の内部へ進出可能となり、前記第１分割体と第２分割体とが前記カプセル挿入孔が露出する姿勢にある状態では、前記出口が前記カプセル挿入孔の上側壁に面して当該上側壁によって前記カプセル穿刺針の進出が規制されるように構成されたことを特徴とする請求項１または３に記載の薬剤噴霧器。
【請求項５】
前記第１分割体に筒状の突起が形成されて当該突起の筒内孔が前記カプセル挿入孔とされ、前記第２分割体に前記突起を挟持する一対のアーム部が設けられ、前記突起およびアーム部のうちいずれか一方にガイド溝が形成されるとともに、他方には前記ガイド溝に案内される案内子が設けられ、前記第１分割体と前記第２分割体とが前記カプセル挿入孔が隠される姿勢にある状態では、前記突起の端面と前記一対のアーム部間の奥面とが相互に当接して当該奥面によってカプセル挿入孔の開口部が塞がれるように構成されるとともに、前記突起に前記カプセル挿入孔の開口部と前記カプセル穿刺針の出口とがずれる方向に延在する部分が設けられ、前記第１分割体と第２分割体とを前記カプセル挿入孔が隠される姿勢から露出する姿勢に姿勢変化させるのに際して、前記開口部と出口とを相互に離間させるように構成されたことを特徴とする請求項４に記載の薬剤噴霧器。
【請求項６】
前記第１分割体にはカプセル保持部としてのカプセル挿入孔が形成され、前記第１分割体と第２分割体とが、少なくともカプセル挿入孔が露出する姿勢とカプセル挿入孔が隠される姿勢との間で、相対傾倒可能に結合され、前記第１分割体と第２分割体とが前記カプセル挿入孔が隠される姿勢にある状態では、前記カプセル穿刺針の第２分割体からの出口が前記カプセル挿入孔の開口部に臨んで前記カプセル穿刺針が当該開口部から当該カプセル挿入孔の内部へ進出可能となり、前記第１分割体と第２分割体とが前記カプセル挿入孔が露出する姿勢にある状態では、前記出口が前記カプセル挿入孔の側壁の外側に面して当該側壁によって前記カプセル穿刺針の進出が規制されるように構成されたことを特徴とする請求項１に記載の薬剤噴霧器。
【請求項７】
上記第１分割体にはカプセル保持部としてのカプセル挿入孔が形成され、上記第１分割体と第２分割体とが、少なくともカプセル挿入孔が露出する姿勢とカプセル挿入孔が隠される姿勢との間で、相対傾倒可能に結合され、上記第１分割体と第２分割体とが上記カプセル挿入孔が隠される姿勢にある状態では、上記カプセル穿刺針の第２分割体からの出口が上記カプセル挿入孔の開口部に臨んで上記カプセル穿刺針が当該開口部から当該カプセル挿入孔の内部へ進出可能となり、上記第２分割体には、上記カプセル保持部を覆い上記第１分割体と第２分割体との相対傾倒前段階で移動する遮蔽部を有し、当該遮蔽部は第１分割体と第２分割体との相対傾倒前段階で上記カプセル穿刺針の進出が規制されるように構成されたことを特徴とする請求項１に記載の薬剤噴霧器。
【請求項８】
前記遮蔽部には、前記カプセル挿入孔が第２分割体によって隠される姿勢で、前記カプセル穿刺針を前記カプセル挿入孔へ向けて通過する穿刺孔が設けられたことを特徴とする請求項７に記載の薬剤噴霧器。
【請求項９】
前記ガイド溝に、前記端面と前記奥面とが接離する方向に対して交叉する方向に略沿って延在する部分が設けられたことを特徴とする請求項３、４または７に記載の薬剤噴霧器。
【請求項１０】
前記突起が円筒状に形成され、前記ガイド溝および前記案内子が、前記突起の中心軸について対称に一対設けられ、前記案内子が前記ガイド溝に嵌挿されて、前記第１分割体と第２分割体との相対回動における回動軸として機能させたことを特徴とする請求項２、７または９に記載の薬剤噴霧器。
【請求項１１】
前記カプセル穿刺針が前記カプセル挿入孔に保持されたカプセルを貫通するように構成されるとともに、当該カプセルを貫通したカプセル穿刺針の先端部分に薬剤受室が形成され、前記空気圧送機構から圧送され空気を前記薬剤受室に導入する空気通路を、当該薬剤受室からの空気および薬剤の排出方向と交叉する方向に延在させたことを特徴とする請求項２〜１０のうちいずれか一つに記載の薬剤噴霧器。
【請求項１２】
前記カプセル保持部の底面を、カプセルの端部形状に略密着する略半球状に形成したことを特徴とする請求項１〜１１のうちいずれか一つに記載の薬剤噴霧器。
【請求項１３】
前記薬剤受室をカプセルの外側形状に沿って略円筒状に形成し、当該薬剤受室に空気を導入する複数の空気通路を筒内面の接線方向に接続して略渦巻状に配置したことを特徴とする請求項１１または１２に記載の薬剤噴霧器。
【請求項１４】
薬剤の噴出孔が形成される先端部分に密着する着脱可能な外皮部を備えることを特徴とする請求項１〜１３のうちいずれか一つに記載の薬剤噴霧器。
【発明の詳細な説明】
【技術分野】
【０００１】
本発明は、薬剤噴霧器に関する。
【背景技術】
【０００２】
従来、種々の薬剤噴霧器が提案されている。特許文献１には、その一例としての薬剤噴霧器が開示されている。
【０００３】
上記公報の薬剤噴霧器は、カプセル穿刺針によってカプセルに穴を開けてカプセル内に収容されていた薬剤を圧送空気によって噴出させるようになっており、具体的には、カプセルが保持されたカプセルホルダに薬品噴霧部を螺結し、当該薬品噴霧部に進退可能に支持されたカプセル穿刺針を動かしてカプセルに穿孔を形成するものである。
【特許文献１】特許第３２７３７１２号公報
【発明の開示】
【発明が解決しようとする課題】
【０００４】
しかしながら、上記特許文献１の薬剤噴霧器では、カプセルホルダに螺結されていない状態でも薬品噴霧部に進退可能に保持されたカプセル穿刺針を動かすことができるようになっており、その状態で、万一、カプセル穿刺針を進出させる操作を行うと、カプセル穿刺針が薬品噴霧部の外部に露出して埃や塵が付着する場合があり、衛生面、安全面ともに好ましくない。
【０００５】
本発明は、上記事情に鑑みてなされたものであり、その目的は、薬剤噴霧器において、カプセル穿刺針が噴霧器の外部に露出しにくい構成を得ることにある。
【課題を解決するための手段】
【０００６】
上記目的を達成するために、請求項１の発明は、薬剤噴霧器において、カプセルを保持するカプセル保持部が形成された第１分割体と、当該カプセル保持部内に対して進退可能な上記カプセル穿刺針を有する第２分割体とが、少なくともカプセル保持部が露出する姿勢とカプセル保持部が第２分割体によって隠される姿勢との間で、相対移動可能に結合され、上記第１分割体と第２分割体とが上記カプセル保持部が露出する姿勢にある状態で、第１分割体によってカプセル穿刺針の進出が規制されるように構成されたことを特徴とする。
【０００７】
請求項２の発明は、上記第１分割体にはカプセル保持部としてのカプセル挿入孔が形成され、上記第１分割体と第２分割体とが、少なくともカプセル挿入孔が露出する姿勢とカプセル挿入孔が隠される姿勢との間で、相対回動可能に結合され、上記第１分割体と第２分割体とが上記カプセル挿入孔が隠される姿勢にある状態では、上記カプセル穿刺針の第２分割体からの出口が上記カプセル挿入孔の開口部に臨んで上記カプセル穿刺針が当該開口部から当該カプセル挿入孔の内部へ進出可能となり、上記第１分割体と第２分割体とが上記カプセル挿入孔が露出する姿勢にある状態では、上記出口が上記カプセル挿入孔の側壁の外側に面して当該側壁によって上記カプセル穿刺針の進出が規制されるように構成されたことを特徴とする。
【０００８】
請求項３の発明は、上記第１分割体に筒状の突起が形成されて当該突起の筒内孔が上記カプセル挿入孔とされ、上記第２分割体に上記突起を挟持する一対のアーム部が設けられ、上記突起およびアーム部のうちいずれか一方にガイド溝が形成されるとともに、他方には上記ガイド溝に案内される案内子が設けられ、上記第１分割体と第２分割体とが上記カプセル挿入孔が隠される姿勢にある状態では、上記突起の端面と上記一対のアーム部間の奥面とが相互に当接して当該奥面によってカプセル挿入孔の開口部が塞がれるように構成されるとともに、上記ガイド溝に上記端面と奥面とが接離する方向に延在する部分が設けられ、上記第１分割体と第２分割体とを上記カプセル挿入孔が隠される姿勢から露出する姿勢に姿勢変化させるのに際して、上記端面と奥面とを相互に離間させるように構成されたことを特徴とする。
【０００９】
請求項４の発明は、上記第１分割体にはカプセル保持部としてのカプセル挿入孔が形成され、上記第１分割体と第２分割体とが、少なくともカプセル挿入孔が露出する姿勢とカプセル挿入孔が隠される姿勢との間で、相対スライド可能に結合され、上記第１分割体と第２分割体とが上記カプセル挿入孔が隠される姿勢にある状態では、上記カプセル穿刺針の第２分割体からの出口が上記カプセル挿入孔の開口部に臨んで上記カプセル穿刺針が当該開口部から当該カプセル挿入孔の内部へ進出可能となり、上記第１分割体と第２分割体とが上記カプセル挿入孔が露出する姿勢にある状態では、上記出口が上記カプセル挿入孔の上側壁に面して当該上側壁によって上記カプセル穿刺針の進出が規制されるように構成されたことを特徴とする。
【００１０】
請求項５の発明は、上記第１分割体に筒状の突起が形成されて当該突起の筒内孔が上記カプセル挿入孔とされ、上記第２分割体に上記突起を挟持する一対のアーム部が設けられ、上記突起およびアーム部のうちいずれか一方にガイド溝が形成されるとともに、他方には上記ガイド溝に案内される案内子が設けられ、上記第１分割体と上記第２分割体とが上記カプセル挿入孔が隠される姿勢にある状態では、上記突起の端面と上記一対のアーム部間の奥面とが相互に当接して当該奥面によってカプセル挿入孔の開口部が塞がれるように構成されるとともに、上記突起に上記カプセル挿入孔の開口部と上記カプセル穿刺針の出口とがずれる方向に延在する部分が設けられ、上記第１分割体と第２分割体とを上記カプセル挿入孔が隠される姿勢から露出する姿勢に姿勢変化させるのに際して、上記開口部と出口とを相互に離間させるように構成されたことを特徴とする
請求項６の発明は、上記第１分割体にはカプセル保持部としてのカプセル挿入孔が形成され、上記第１分割体と第２分割体とが、少なくともカプセル挿入孔が露出する姿勢とカプセル挿入孔が隠される姿勢との間で、相対傾倒可能に結合され、上記第１分割体と第２分割体とが上記カプセル挿入孔が隠される姿勢にある状態では、上記カプセル穿刺針の第２分割体からの出口が上記カプセル挿入孔の開口部に臨んで上記カプセル穿刺針が当該開口部から当該カプセル挿入孔の内部へ進出可能となり、上記第１分割体と第２分割体とが上記カプセル挿入孔が露出する姿勢にある状態では、上記出口が上記カプセル挿入孔の側壁の外側に面して当該側壁によって上記カプセル穿刺針の進出が規制されるように構成されたことを特徴とする。
【００１１】
請求項７の発明は、上記第１分割体にはカプセル保持部としてのカプセル挿入孔が形成され、上記第１分割体と第２分割体とが、少なくともカプセル挿入孔が露出する姿勢とカプセル挿入孔が隠される姿勢との間で、相対傾倒可能に結合され、上記第１分割体と第２分割体とが上記カプセル挿入孔が隠される姿勢にある状態では、上記カプセル穿刺針の第２分割体からの出口が上記カプセル挿入孔の開口部に臨んで上記カプセル穿刺針が当該開口部から当該カプセル挿入孔の内部へ進出可能となり、上記第２分割体には、上記カプセル保持部を覆い上記第１分割体と第２分割体との相対傾倒前段階で移動する遮蔽部を有し、当該遮蔽部は第１分割体と第２分割体との相対傾倒前段階で上記カプセル穿刺針の進出が規制されるように構成されたことを特徴とする。
【００１２】
請求項８の発明は、上記遮蔽部には、上記カプセル挿入孔が第２分割体によって隠される姿勢で、上記カプセル穿刺針を上記カプセル挿入孔へ向けて通過する穿刺孔が設けられたことを特徴とする。
【００１３】
請求項９の発明は、上記ガイド溝に、上記端面と上記奥面とが接離する方向に対して交叉する方向に略沿って延在する部分が設けられたことを特徴とする。
【００１４】
請求項１０の発明は、上記突起が円筒状に形成され、上記ガイド溝および上記案内子が、上記突起の中心軸について対称に一対設けられ、上記案内子が上記ガイド溝に嵌挿されて、上記第１分割体と第２分割体との相対回動における回動軸として機能させたことを特徴とする。
【００１５】
請求項１１の発明は、上記カプセル穿刺針が上記カプセル挿入孔に保持されたカプセルを貫通するように構成されるとともに、当該カプセルを貫通したカプセル穿刺針の先端部分に薬剤受室が形成され、上記空気圧送機構から圧送され空気を上記薬剤受室に導入する空気通路を、当該薬剤受室からの空気および薬剤の排出方向と交叉する方向に延在させたことを特徴とする。
【００１６】
請求項１２の発明は、上記カプセル保持部の底面を、カプセルの端部形状に略密着する略半球状に形成したことを特徴とする。
【００１７】
請求項１３の発明は、上記薬剤受室をカプセルの外側形状に沿って略円筒状に形成し、当該薬剤受室に空気を導入する複数の空気通路を筒内面の接線方向に接続して略渦巻状に配置したことを特徴とする。
【００１８】
請求項１４の発明は、薬剤の噴出孔が形成される先端部分に密着する着脱可能な外皮部を備えることを特徴とする。
【発明の効果】
【００１９】
請求項１の発明によれば、カプセル穿刺針が保持される第２分割体が第１分割体から分離せず、カプセル保持部が露出してカプセルを着脱できる状態では、当該カプセル穿刺針の進出が第１分割体によって規制されるようにしたため、カプセル穿刺針に触れることなく衛生的にかつ安全に維持しやすくなる。
【００２０】
請求項２の発明によれば、第１分割体と第２分割体とが上記カプセル挿入孔が露出する姿勢にある状態では、カプセル穿刺針の出口がカプセル挿入孔の側壁の外面に面するため、カプセル穿刺針の進出が第１分割体によって規制される構成を、より簡素な構成として具現化することができる。
【００２１】
請求項３の発明によれば、ガイド溝に案内子が案内される状態で、突起の端面と一対のアーム部間の奥面とを相互に当接させることでこの部分のシール性を確保するとともに、ガイド溝の上記端面と奥面とが接離する方向に延在する部分に案内子が案内される状態で、それら端面と奥面とを離間させることで、第１分割体と第２分割体をより容易に相対回動させることが可能となる。
【００２２】
請求項４の発明によれば、第１分割体と第２分割体とを相対スライド可能に結合して、第１分割体と第２分割体とが上記カプセル挿入孔が露出する姿勢にある状態では、カプセル穿刺針の出口がカプセル挿入孔の上側壁に面するため、第１分割体と第２分割体との相対スライドに伴ってカプセル穿刺針の進出が第１分割体によって規制される構成を、より簡素な構成として具現化することができる。
【００２３】
請求項５の発明によれば、ガイド溝に案内子が案内される状態で、突起の端面と一対のアーム部間の奥面とを相互に当接させることで、この部分のシール性を確保するとともに、ガイド溝の上記端面と奥面とがずれる方向に延在する部分に案内子が案内される状態で、それら端面と奥面とを離間させることで、第１分割体と第２分割体をより容易に相対スライドさせることが可能となる。
【００２４】
請求項６の発明によれば、第１分割体と第２分割体とを相対傾倒可能に結合して、第１分割体と第２分割体とがカプセル挿入孔が露出する傾倒した姿勢にある状態では、カプセル穿刺針の出口がカプセル挿入孔の側壁の外側に面するため、第１分割体と第２分割体との相対傾倒に伴うカプセル穿刺針の進出が第１分割体によって規制される構成を、より簡素な構成として具現化することができる。
【００２５】
請求項７の発明によれば、第１分割体と第２分割体との相対傾倒前段階で、遮蔽部によって上記カプセル穿刺針の進出が規制されるため、当該遮蔽部によってもカプセル穿刺針の進出を規制できるとともに、第１分割体と第２分割体との相対傾倒を円滑に行うことができる。
【００２６】
請求項８の発明によれば、カプセル挿入孔が第２分割体によって隠される姿勢では、遮蔽部に設けた穿刺孔を通してカプセル穿刺針をカプセル挿入孔に通過させることができる。
【００２７】
請求項９の発明によれば、ガイド溝は、上記端面と上記奥面とが接離する方向に対して交叉する方向に略沿って延在する部分によって、第１分割体と第２分割体とをそれらの接離方向に相互に係止して、第１分割体と第２分割体とが離間するのを抑制することができる。
【００２８】
請求項１０の発明によれば、上記突起が円筒状に形成されたことにより、ガイド機構と相対回動機構とを共用化できることにより、構成を簡素化できるとともに、上記突起の中心軸について軸対称としたことで、ガイド機構による相対移動時および相対回動機構による相対回動時の姿勢を安定化でき、より確実な動作を得ることができる。
【００２９】
請求項１１の発明によれば、薬剤受室によりカプセルに形成された穿孔から零れ出た薬剤が空気圧送機構側に逆流するのを抑制することができ、また、当該薬剤受室で空気の導入方向と排出方向とを交叉させることで空気流の乱れや剥離、ひいては空気と薬剤との攪拌を促進させて、空気とともに排出できるとともに、薬剤をより遠くまで到達させることができ、かつ、薬剤が薬剤噴霧機内に残存するのを抑制できる。
【００３０】
請求項１２の発明によれば、カプセル保持部とカプセルの外表面との密着性を高め、薬剤のシールを高めることができる。
【００３１】
請求項１３の発明によれば、薬剤受室内で空気の旋回流が形成され、空気と薬剤との攪拌をより一層促進することができる。
【００３２】
請求項１４の発明によれば、外皮部を着脱することで、薬剤噴出器の外表面が清潔な状態をより容易に維持することができる。
【発明を実施するための最良の形態】
【００３３】
以下、本発明を具現化した第１実施形態について図面を参照して説明する。
【００３４】
（第１実施形態）図１は、本実施形態にかかる薬剤噴霧器の外観を示す正面図、図２は、薬剤噴霧器の縦断面図、図３は、薬剤噴霧器の斜視図、図４は、薬剤噴霧器に設けられる突起の斜視図、図５〜図８は、薬剤噴霧器の斜視図であって第１分割体と第２分割体との相対移動の各段階を示す図、図９は、薬剤噴霧器の側面図であって第１分割体と第２分割体との相対移動の各段階を示す図、図１０〜図１２は、薬剤噴霧器の縦断面図であってカプセル保持部に保持したカプセルを穿刺してカプセル内部の薬剤が排出されるまでの各段階を示す図、図１３は、図１のXIII−XIII断面図、図１４は、薬剤噴出口側に着脱可能に装着される外皮部の斜視図である。
【００３５】
なお、本実施形態では、薬剤噴霧器１が、鼻腔内に粉末の薬剤を投与する粉末薬剤投与器として実施された場合について例示する。
【００３６】
本実施形態にかかる薬剤噴霧器１は、第１分割体としての本体部２と、本体部２に対して相対移動（相対回動）可能に結合される第２分割体としての可動部３と、可動部３の排出孔３ａ側の外表面３ｂを被覆する外皮部４と、を備える。
【００３７】
この薬剤噴霧器１は、本体部２の底部２ｅを机上面等の平面上に突き当てて静置されるようになっており、以下では、便宜上、この静置姿勢（図１）を基準として上下方向を規定するものとする。
【００３８】
本体部２は、可撓性を有するエラストマを容器状に成形したものであり、内部に空気室２ａが形成されている。この空気室２ａの外壁２ｂを手指等で押し潰すと空気室２ａが縮小し、空気室２ａ内の空気が空気通路５を通じて排出されるようになっている。すなわち本実施形態では、本体部２が空気圧送機構として機能する。
【００３９】
本体部２の可動部３側の端部（上部）は、手指等による押圧等によってはそれほど変形しない剛体部２ｃとなっており、この剛体部２ｃ内に、カプセル保持部としてのカプセル挿入孔６と、薬剤受室７とが形成されている。
【００４０】
カプセル挿入孔６は、可動部３側の端面２ｄ上に突出する円筒状の突起６ａの筒内部として形成されており、可動部３が傾倒されて開口部６ｂが開放された状態（カプセル挿入孔６が露出した状態：図７，図８，および図９の（ｃ）；後述）で、当該開口部６ｂを介してカプセル８を挿入できるようになっている。図２に示すように、カプセル挿入孔６の底面６ｃはカプセル８の半球部分とほぼ密着する球面状に、また内周面６ｄは挿入時カプセル８の円筒部分をガイドするように、それぞれ形成されている。
【００４１】
薬剤受室７は、カプセル挿入孔６の底面６ｃ側に連設された円筒状の空間として形成されており、図１２に示すように、カプセル穿刺針９によってカプセル８に形成された穿孔８ｂを介してカプセル８内から零れ出た（零れ落ちた）薬剤１０をこの薬剤受室７内に受容し、空気室２ａ内に進入するのを抑制する。
【００４２】
そして、薬剤受室７は、側壁７ａの外周に形成された環状溝部７ｂと、側壁７ａを貫通して環状溝部７ｂと連通する側孔７ｃとを介して、空気室２ａと連通されており、空気室２ａの縮小によって圧送された空気が、環状溝部７ｂおよび側孔７ｃを介して薬剤受室７内に導入されるようになっている。このとき、図１３に示すように、側孔７ｃは、薬剤受室７の内周面７ｄ上で周方向に適宜に配分された複数箇所（この例では９０°毎に４箇所）で薬剤受室７に開口するとともに、各開口位置での接線に沿って略渦巻状に延設されており、側孔７ｃから薬剤受室７内に導入された空気が当該薬剤受室７内で旋回流（渦流）を形成し、薬剤１０と空気との攪拌が促進されるようにしてある。すなわち、本実施形態では、薬剤受室７は、圧送された空気と薬剤１０との攪拌流を形成する攪拌流形成部として機能している。
【００４３】
可動部３は、略矩形柱状の剛体部３ｃと、剛体部３ｃから本体部２側に伸びて突起６ａを挟み込む一対のアーム部３ｄ，３ｄと、アーム部３ｄ，３ｄの反対側で剛体部３ｃから突出して鼻腔内に差し込まれる差込部３ｅ，３ｅとを備えている。
【００４４】
突起６ａおよびアーム部３ｄ，３ｄには、本体部２と可動部３との相対移動を規定するガイド機構１１（図４）が形成される。本実施形態では、ガイド機構１１は、図２，図４，および図９に示すように、突起６ａの筒外面６ｆに形成されたガイド溝１１ａと、アーム部３ｄに形成されてガイド溝１１ａ，１１ａに挿入される案内子としての略円柱状の突部１１ｂ，１１ｂとによって構成されている。ガイド溝１１ａ，１１ａは、円筒状の突起６ａの中心軸Ｃについて対称（軸対称）に形成されており、各アーム部３ｄ，３ｄにおいて突起６ａの筒外面６ｆとの当接面に突設された突部１１ｂ，１１ｂが、それぞれ対応するガイド溝１１ａ，１１ａに挿入されている。
【００４５】
ここで、ガイド溝１１ａは、図４に示すように、周方向に沿って延在する周方向延在部１１ｃと、円筒状の突起６ａの軸方向に沿って延在する軸方向延在部１１ｄとを有する略Ｌ字状に形成されている。
【００４６】
そして、周方向延在部１１ｃに沿った突部１１ｂの移動によって、図３の姿勢と図５の姿勢との間における、本体部２と可動部３との中心軸Ｃ回りの相対回動が規定されるとともに、軸方向延在部１１ｄに沿った突部１１ｂの移動によって、図５の姿勢と図６の姿勢との間（図９の（ａ）の姿勢と（ｂ）の姿勢との間）における、本体部２と可動部３との上下方向の相対移動（接離）が規定される。
【００４７】
さらに、図６（図９の（ｂ））および図７（図９の（ｃ））に示すように、可動部３が本体部２から離間した状態（本実施形態では、突部１１ｂが軸方向延在部１１ｄの半円筒状の上端１１ｅ（図４）に位置する状態）で、可動部３を本体部２から離間させる方向（上方向）に力を加えてこの状態を維持しながら、突部１１ｂを中心軸として、可動部３を本体部２に対して回動（傾倒）させることで、本体部２と可動部３とが略直角に屈曲した姿勢を取り得るようにしてある。
【００４８】
ここで、図２および図３は、薬剤１０（図１２）の噴霧が可能な噴霧可能状態を示しており（ただし、図２ではカプセル８および薬剤１０は省略）、この状態では、本体部２に形成されたカプセル挿入孔６が可動部３によって被覆されている。そして、図２に示すように、本体部２の端面２ｄとアーム部３ｄ，３ｄの端面３ｆとが当接するとともに、可動部３の二つのアーム部３ｄ，３ｄ間の奥面３ｇが突起６ａの端面６ｇに当接して開口部６ｂを塞ぎ、本体部２と可動部３との境界から外部に薬剤１０（図１２）が漏出しないようにしてある。さらに、この状態では、奥面３ｇに形成された突起３ｈが、開口部６ｂからカプセル挿入孔６内の上部に挿入されて、当該カプセル挿入孔６内に挿入されたカプセル８（図１２）を底面６ｃの反対側（上側）から押さえつけてカプセル挿入孔６の奥側に押し込むようになっており、カプセル８の外表面８ａとカプセル挿入孔６の底面６ｃおよび内周面６ｄとの密着性を高め、この部分における薬剤１０のシールをより一層確実なものとしている。また、突起３ｈにもカプセル８の半球部分にフィットする球面状の凹面３ｉが形成され、当該凹面３ｉとカプセル８の外表面８ａとの密着性を高め、この部分でも薬剤１０のシールをより一層確実なものとしている。
【００４９】
そして、薬剤噴霧器１は、この状態で、カプセル穿刺針９が開口部６ｂを介してカプセル挿入孔６内に進出できるように構成されている。すなわち、カプセル穿刺針９は、可動部３の剛体部３ｃに形成された針格納部３ｊ内において、カプセル挿入孔６の中心軸Ｃ上で延伸する状態で格納されるとともに、カプセル穿刺針９が固定されるスライダ９ａが、剛体部３ｃに、中心軸Ｃに沿って進退可能に支持されている。さらに、この状態では、カプセル穿刺針９の出口３ｋがカプセル挿入孔６の開口部６ｂに臨んでいる。したがって、図１０に示すように、カプセル挿入孔６にカプセル８が挿入された状態で、図１１に示すように、剛体部３ｃに上下スライド可能に支持されたスライダ９ａを手指等で本体部２側（下側）にスライドさせることで、このスライダ９ａに固定されたカプセル穿刺針９が出口３ｋからカプセル挿入孔６内に進出して、図１２に示すように、カプセル８に穿孔８ｂが形成される。さらに、本実施形態では、カプセル穿刺針９の進出によって、カプセル８の上下二箇所（薬剤受室７側とその反対側の二箇所）に穿孔８ｂが形成されるように構成される。なお、図１２に示すように、カプセル穿刺針９が針格納部３ｊに格納された状態で当該カプセル穿刺針９の先端部となる位置には、シール部材１２が装着されており、カプセル穿刺針９の周囲からの空気および薬剤１０の漏れが抑制されている。
【００５０】
一方、図６，図７，図８，図９の（ｂ）および（ｃ）の状態は薬剤１０の噴霧ができない噴霧不可能状態を示している。特に、図７，図８および図９の（ｃ）の状態では、本体部２に形成されたカプセル挿入孔６が可動部３によって被覆されることなく、外部に露出するため、図８に示すように、開口部６ｂを介してカプセル挿入孔６内にカプセル８を挿入することができる。そして、この状態では、本体部２と可動部３とが略直角に屈曲した姿勢となって、カプセル穿刺針９の可動部３からの出口３ｋが、本体部２の突起６ａの側壁６ｅの筒外面６ｆに面し、この側壁６ｅによって、カプセル穿刺針９の外部への進出が規制されるようになっている。
【００５１】
また、図２に示すように、剛体部３ｃ内には、カプセル挿入孔６と排出孔３ａとを連通する空気通路３ｍ，３ｎが形成されている。このうち、カプセル挿入孔６と連通して中心軸Ｃに沿って上下方向に伸びる空気通路３ｍはカプセル穿刺針９の進退通路としても機能するものであり、当該空気通路３ｍの凹面３ｉにおける開口部がカプセル穿刺針９の出口３ｋとなっている。そして、この空気通路３ｍに接続される空気通路３ｎ，３ｎは、それぞれ、当該空気通路３ｍと交叉する方向（静置状態における略水平方向）に延在する部分を有し、その部分の中心軸Ｃから遠い側の端部で差込部３ｅ，３ｅに向けて（上方に向けて）折曲し、相互に平行に延伸して排出孔３ａ，３ａに接続されている。そして、本実施形態では、針格納部３ｊをこれら空気通路３ｎ，３ｎの間に平行に配置することで、針格納部３ｊおよび二本の空気通路３ｎ，３ｎを剛体部３ｃ内で効率良くレイアウトしている。
【００５２】
以上の構成を備える薬剤噴霧器１の薬剤噴霧動作について説明すると、まず、図７，図８および図９の（ｃ）の状態で、可動部３によって被覆されることなく外部に露出したカプセル挿入孔６にカプセル８を嵌め込んだ後、可動部３を図６および図９の（ｂ）に示すように起立させ、その後、可動部３を図５および図９の（ａ）に示す状態まで下方に移動させる。そして、可動部３を周方向に図１０および図３に示す状態まで回動させると、噴霧可能状態となる。この間、ガイド機構１１において、案内子としての突部１１ｂは、ガイド溝１１ａ内を、図４の（ｃ）→（ｂ）→（ａ）の順に移動することになる。ここで、図４の（ｂ）から図４の（ａ）の動作を参照すれば、ガイド溝１１ａの周方向延在部１１ｃが、本体部２と可動部３とを中心軸Ｃに沿う方向にロックするロック機構として機能していることが理解できよう。
【００５３】
次に、本体部２のスライダ９ａを図１０に示す状態から図１１に示す状態まで下方にスライドさせてカプセル穿刺針９によってカプセル８の上下に穿孔（貫通孔）８ｂ，８ｂを形成し、スライダ９ａを図１２に示す状態まで上方にスライドさせてカプセル穿刺針９を針格納部３ｊに戻す。
【００５４】
そして、この図１２の状態で、空気室２ａの外壁２ｂを手指等で押し潰すと空気室２ａが縮小し、空気室２ａ内の空気が空気通路５から排出される。このとき、カプセル８および薬剤受室７内にある薬剤１０が空気室２ａの収縮によって圧送された空気とともに排出される。空気は、空気通路５としての環状溝部７ｂ、側孔７ｃ、薬剤受室７、穿孔８ｂ、カプセル８内、穿孔８ｂ、空気通路３ｍ、および空気通路３ｎを通過して、排出孔３ａから排出される。このとき薬剤受室７において撹拌流（旋回流）が形成され、空気と薬剤１０とが良好に混合されるため、薬剤１０が鼻腔内の奥までより確実に到達できるようになる上、薬剤１０が薬剤噴霧器１内に残存するのを抑制することができる。
【００５５】
また、本実施形態にかかる薬剤噴霧器１は、排出孔３ａが形成される薬剤噴霧器１の先端部分を密着する着脱可能な外皮部４を備えている。この外皮部４は、図１４に示すように、可動部３の剛体部３ｃを先端側から被覆する本体部４ａと、この本体部４ａから突出して差込部３ｅを被覆する筒状部４ｂとを備える。そして、本体部４ａにはスライダ９ａの可動領域との干渉を避ける切欠部４ｃが形成される一方、筒状部４ｂの先端には排出孔３ａと連接される貫通孔４ｄが形成される。こうすれば、外皮部４を交換することで、薬剤噴霧器１の表面を洗浄等することなく容易に清潔に維持できるようになる。
【００５６】
以上の本実施形態によれば、カプセル８を保持するカプセル挿入孔６が形成された本体部２と、当該カプセル挿入孔６内に対して進退可能な前記カプセル穿刺針９を有する可動部３とが、少なくともカプセル挿入孔６が露出する姿勢とカプセル挿入孔が可動部３によって隠される姿勢との間で、相対移動可能に結合され、本体部２と可動部３とがカプセル挿入孔６が露出する姿勢にある状態で、本体部２によってカプセル穿刺針９の進出が規制されるように構成されているため、カプセル穿刺針９が露出するのを抑制し、当該カプセル穿刺針９をより衛生的にかつ安全に維持しやすくなるという利点がある。
【００５７】
また、本実施形態によれば、本体部２と可動部３とが、少なくともカプセル挿入孔６が露出する姿勢とカプセル挿入孔６が隠される姿勢との間で、相対回動可能に結合され、本体部２と可動部３とがカプセル挿入孔６が隠される姿勢にある状態では、カプセル穿刺針９の可動部３からの出口３ｋがカプセル挿入孔６の開口部６ｂに臨んでカプセル穿刺針９が当該開口部６ｂから当該カプセル挿入孔６の内部へ進出可能となり、本体部２と可動部３とがカプセル挿入孔６が露出する姿勢にある状態では、出口３ｋがカプセル挿入孔６の側壁６ｅの外側に面して当該側壁６ｅによってカプセル穿刺針９の進出が規制されるように構成されているため、本体部２によってカプセル穿刺針９が可動部３から露出するのを抑制する構成を、比較的簡素な構成として具現化することができる。
【００５８】
また、本実施形態によれば、本体部２に筒状の突起６ａが形成されて当該突起６ａの筒内孔がカプセル挿入孔６とされ、可動部３に突起６ａを挟持する一対のアーム部３ｄ，３ｄが設けられ、突起６ａおよびアーム部３ｄのうちいずれか一方にガイド溝１１ａが形成されるとともに、他方にはガイド溝１１ａに案内される案内子としての突部１１ｂが設けられ、本体部２と可動部３とがカプセル挿入孔６が隠される姿勢にある状態では、突起６ａの端面６ｇと一対のアーム部３ｄ，３ｄ間の奥面３ｇとが相互に当接して当該奥面３ｇによってカプセル挿入孔６の開口部６ｂが塞がれるように構成されるとともに、ガイド溝１１ａに端面６ｇと奥面３ｇとが接離する方向に延在する軸方向延在部１１ｄが設けられ、本体部２と可動部３とをカプセル挿入孔６が隠される姿勢から露出する姿勢に姿勢変化させるのに際して、端面６ｇと奥面３ｇとを相互に離間させるように構成されているため、カプセル挿入孔６の開口部６ｂのシール性を確保できるとともに本体部２と可動部３とを離間させてより容易に相対回動させる機構を、比較的簡素な構成として具現化することができる。
【００５９】
（第２実施形態）図１５〜図１６は本発明の第２実施形態を示し、前記第１実施形態と同一構成部分に同一符号を付して重複する説明を省略して述べるものとする。図１５は、本実施形態にかかる薬剤噴霧器の外観を示す正面図、図１６は、本実施形態にかかる薬剤噴霧器の外観を示す側面図、図１７、第１分割体と第２分割体との相対スライド状態を示す側面図である。なお、本実施形態にあっても、薬剤噴霧器が、鼻腔内に粉末の薬剤を投与する粉末薬剤投与器として実施された場合について例示する。
【００６０】
本実施形態にかかる薬剤噴霧器１Ａは、図１５に示すように、基本的に第１実施形態と略同様の構成となり、第１分割体としての本体部２と、本体部２に対して相対移動（相対スライド）可能に結合される第２分割体としての可動部３と、を備えて構成される。
【００６１】
本体部２にはカプセル保持部としてのカプセル挿入孔６が形成され、本体部２と可動部３とが、図１７に示すように、少なくともカプセル挿入孔６が露出する姿勢と、図１６に示すように、カプセル挿入孔６が隠される姿勢との間で、相対スライド可能に結合される。
【００６２】
本体部２と可動部３とがカプセル挿入孔６が隠される姿勢にある状態では、カプセル穿刺針９の可動部３からの出口３ｋ（詳細は図２参照）がカプセル挿入孔６の開口部６ｂに臨んでカプセル穿刺針９が当該開口部６ｂ（詳細は図２参照）から当該カプセル挿入孔６の内部へ進出可能となっている。
【００６３】
そして、本体部２と可動部３とがカプセル挿入孔６が露出する姿勢にある状態では、前記出口３ｋがカプセル挿入孔６の上側壁、つまり、突起６ａの端面６ｇに面して当該端面６ｇによってカプセル穿刺針９の進出が規制される。カプセル挿入孔６は、第１実施形態と同様に、本体部２から突設した筒状の突起６ａに形成されて、当該突起６ａの筒内孔がカプセル挿入孔６とされる。
【００６４】
可動部３には、突起６ａを挟持する一対のアーム部３ｄが設けられており、前記相対スライドを可能とするために、図１６に示すように、突起６ａの左右（図１５中左右方向）側面に前後方向（図１５中紙面表裏方向）に延在するガイド溝１１ａが形成されるとともに、アーム部３ｄには当該ガイド溝１１ａに案内される突部１１ｂが設けられる。そして、ガイド溝１１ａ内を突部１１ｂが摺動しつつ、本体部２と可動部３とは前後方向の相対スライドが許容される。なお、この場合、アーム部３ｄにガイド溝１１ａを形成し、突起６ａに突部１１ｂを設けてもよい。
【００６５】
本体部２と可動部３とが、図１６に示すように、カプセル挿入孔６が隠される姿勢にある状態では、突起６ａの端面６ｇと一対のアーム部３ｄ間の奥面３ｇ（図２参照）とが相互に当接して当該奥面３ｇによってカプセル挿入孔６の開口部６ｂが塞がれる。突起６ａには前記カプセル挿入孔６の開口部６ｂとカプセル穿刺針９の出口３ｋとがずれる方向に延在する延長部分６ｈが設けられ、本体部２と可動部３とをカプセル挿入孔６が隠される姿勢（図１６参照）から露出する姿勢（図１７参照）に姿勢変化させるのに際して、開口部６ｂと出口３ｋとを相互に離間させるようになっている。
【００６６】
ここで、薬剤噴霧器１Ａの薬剤噴霧動作は、まず、図１７の状態で、可動部３によって被覆されることなく外部に露出したカプセル挿入孔６にカプセル８を嵌め込んだ後、可動部３を図１６に示すようにガイド溝１１ａに沿ってスライドさせ、カプセル挿入孔６の開口部６ｂをアーム部３ｄの奥面３ｇで塞ぐ。この状態で噴霧可能状態となり、その後は第１実施形態と同様に、本体部２のスライダ９ａを下方にスライドさせてカプセル穿刺針９によってカプセル８の上下に穿孔し、その後、スライダ９ａを元の状態（図１５参照）まで上方にスライドさせてカプセル穿刺針９を針格納部３ｊに戻す。
【００６７】
したがって、本実施形態の薬剤噴霧器１Ａによれば、本体部２と可動部３とを相対スライド可能に結合して、本体部２と可動部３とがカプセル挿入孔６が露出する姿勢にある状態では、カプセル穿刺針９の出口３ｋがカプセル挿入孔６の端面６ｇに面するため、本体部２と可動部３との相対スライドに伴ってカプセル穿刺針９の進出が本体部２によって規制される構成を、より簡素な構成として具現化することができる。
【００６８】
また、ガイド溝１１ａに突部１１ｂが案内される状態で、突起６ａの端面６ｇと一対のアーム部３ｄ間の奥面３ｇとを相互に当接させることで、この部分のシール性を確保するとともに、ガイド溝１１ａの端面６ｇと奥面３ｇとがずれる方向に延在した延長部分６ｈに突部１１ｂが案内される状態で、それら端面６ｇと奥面３ｇとを離間させることで、本体部２と可動部３をより容易に相対スライドさせることが可能となる。
【００６９】
（第３実施形態）図１８〜図２０は本発明の第３実施形態を示し、前記第１実施形態と同一構成部分に同一符号を付して重複する説明を省略して述べるものとする。図１８は、本実施形態にかかる薬剤噴霧器の外観を示す正面図、図１９は、本実施形態にかかる薬剤噴霧器の外観を示す側面図、図２０は、第１分割体と第２分割体との相対傾倒状態を示す側面図である。なお、本実施形態にあっても、薬剤噴霧器が、鼻腔内に粉末の薬剤を投与する粉末薬剤投与器として実施された場合について例示する。
【００７０】
本実施形態にかかる薬剤噴霧器１Ｂは、図１８に示すように、基本的に第１実施形態と略同様の構成となり、第１分割体としての本体部２と、本体部２に対して相対移動（相対傾倒）可能に結合される第２分割体としての可動部３と、を備えて構成される。
【００７１】
本体部２にはカプセル保持部としてのカプセル挿入孔６が形成され、本体部２と可動部３とが、図２０に示すように、少なくともカプセル挿入孔６が露出する姿勢と、図１９に示すように、カプセル挿入孔６が隠される姿勢との間で、相対傾倒可能に結合される。
【００７２】
本体部２と可動部３とがカプセル挿入孔６が隠される姿勢にある状態では、カプセル穿刺針９の可動部３からの出口３ｋ（詳細は図２参照）がカプセル挿入孔６の開口部６ｂに臨んでカプセル穿刺針９が当該開口部６ｂ（詳細は図２参照）から当該カプセル挿入孔６の内部へ進出可能となっている。
【００７３】
そして、本体部２と可動部３とがカプセル挿入孔６が露出する姿勢にある状態では、出口３ｋがカプセル挿入孔６の側壁６ｅの外側に面して当該側壁６ｅによってカプセル穿刺針９の進出が規制される。突起６ａは、図１９に示すように、側面視で略半円状に形成され、その外周面の側方が側壁６ｅとなっている。
【００７４】
可動部３には、図１８に示すように、突起６ａを挟持する一対のアーム部３ｄが設けられており、それらアーム部３ｄは、図１８および図１９に示すように、半円状を成す突起６ａの中心部から突設するピン部１３によって回動自在となり、可動部３は、図２０に示すようにピン部１３を中心として傾倒可能となっている。
【００７５】
ここで、薬剤噴霧器１Ｂの薬剤噴霧動作は、まず、図２０に示すように、可動部３をピン部１３を中心として傾倒させることにより、可動部３によって被覆されていたカプセル挿入孔６は外部に露出した状態となる。そのカプセル挿入孔６にカプセル８を嵌め込んだ後、可動部３を図１９に示すように回動して初期位置に起立させ、カプセル挿入孔６の開口部６ｂをアーム部３ｄの奥面３ｇで塞ぐ。
【００７６】
この状態で噴霧可能状態となり、その後は第１実施形態と同様に、本体部２のスライダ９ａを下方にスライドさせてカプセル穿刺針９によってカプセル８の上下に穿孔し、その後、スライダ９ａを元の状態（図１８参照）まで上方にスライドさせてカプセル穿刺針９を針格納部３ｊに戻す。
【００７７】
したがって、本実施形態の薬剤噴霧器１Ｂによれば、本体部２と可動部３とを相対傾倒可能に結合して、本体部２と可動部３とがカプセル挿入孔６が露出する姿勢にある状態では、カプセル穿刺針９の出口３ｋがカプセル挿入孔６の側壁６ｅの外側に面するため、本体部２と可動部３との相対傾倒に伴うカプセル穿刺針９の進出が本体部２によって規制される構成を、より簡素な構成として具現化することができる。
【００７８】
（第４実施形態）図２１および図２２は本発明の第４実施形態を示し、前記第１・第２実施形態と同一構成部分に同一符号を付して重複する説明を省略して述べるものとする。図２１は、薬剤噴霧器の噴霧状態を示し、（ａ）は平面図、（ｂ）は正面図、図２２は、薬剤噴霧器の薬剤投与状態を示し、（ａ）は平面図、（ｂ）は正面図である。なお、本実施形態にあっても、薬剤噴霧器が、鼻腔内に粉末の薬剤を投与する粉末薬剤投与器として実施された場合について例示する。
【００７９】
本実施形態にかかる薬剤噴霧器１Ｃは、図２１に示すように、基本的に第２実施形態と略同様の構成となり、第１分割体としての本体部２と、本体部２に対して相対移動（相対スライド）可能に結合される第２分割体としての可動部３と、を備えて構成される。
【００８０】
本体部２にはカプセル保持部としてのカプセル挿入孔６が形成され、本体部２と可動部３とが、図２２に示すように、少なくともカプセル挿入孔６が露出する姿勢と、図２１に示すように、カプセル挿入孔６が隠される姿勢との間で、相対スライド可能に結合される。
【００８１】
本体部２と可動部３とがカプセル挿入孔６が隠される姿勢にある状態では、カプセル穿刺針９の可動部３からの出口３ｋ（詳細は図２参照）がカプセル挿入孔６の開口部６ｂに臨んでカプセル穿刺針９が当該開口部６ｂ（詳細は図２参照）から当該カプセル挿入孔６の内部へ進出可能となっている。
【００８２】
そして、本体部２と可動部３とがカプセル挿入孔６が露出する姿勢にある状態では、前記出口３ｋがカプセル挿入孔６の端面６ｇに面して当該端面６ｇによってカプセル穿刺針９の進出が規制される。カプセル挿入孔６は、第１実施形態と同様に、本体部２から突設した筒状の突起６ａに形成されて、当該突起６ａの筒内孔がカプセル挿入孔６とされる。
【００８３】
可動部３には、突起６ａを挟持する一対のアーム部３ｄが設けられており、片側（図２１中右側）のアーム部３ｄは回転中心軸１４によって回転自在に本体部２に取り付けられ、当該回転中心軸１４を中心として本体部２と可動部３とは相対スライドが許容される。
【００８４】
そして、本体部２と可動部３とが、図２１に示すように、カプセル挿入孔６が隠される姿勢にある状態では、突起６ａの端面６ｇと一対のアーム部３ｄ間の奥面３ｇ（図２参照）とが相互に当接して当該奥面３ｇによってカプセル挿入孔６の開口部６ｂが塞がれる。突起６ａには前記カプセル挿入孔６の開口部６ｂとカプセル穿刺針９の出口３ｋとがずれる方向に延在する延長部分６ｈが設けられる。延長部分６ｈは、平面視で回転中心軸１４を中心とする円弧状に形成され、一対のアーム部３ｄは延長部分６ｈの両側に案内されつつスライドする。そして、本体部２と可動部３とをカプセル挿入孔６が隠される姿勢（図２１参照）から露出する姿勢（図２２参照）に姿勢変化させるのに際して、開口部６ｂと出口３ｋとを相互に離間させるようになっている。
【００８５】
ここで、薬剤噴霧器１Ｃの薬剤噴霧動作は、まず、図２２の状態で、可動部３によって被覆されることなく外部に露出したカプセル挿入孔６にカプセル８を嵌め込んだ後、可動部３を図２１に示すように突起６ａの延長部分６ｈに沿ってスライドさせ、カプセル挿入孔６の開口部６ｂをアーム部３ｄの奥面３ｇで塞ぐ。この状態で噴霧可能状態となり、その後は第１実施形態と同様に、本体部２のスライダ９ａを下方にスライドさせてカプセル穿刺針９によってカプセル８の上下に穿孔し、その後、スライダ９ａを元の状態（図２１参照）まで上方にスライドさせてカプセル穿刺針９を針格納部３ｊに戻す。
【００８６】
したがって、本実施形態の薬剤噴霧器１Ｃによれば、本体部２と可動部３とを相対スライド可能に結合して、本体部２と可動部３とがカプセル挿入孔６が露出する姿勢にある状態では、カプセル穿刺針９の出口３ｋがカプセル挿入孔６の端面６ｇに面するため、本体部２と可動部３との相対スライドに伴ってカプセル穿刺針９の進出が本体部２によって規制される構成を、より簡素な構成として具現化することができる。
【００８７】
また、ガイド溝１１ａに突部１１ｂが案内される状態で、突起６ａの端面６ｇと一対のアーム部３ｄ間の奥面３ｇとを相互に当接させることで、この部分のシール性を確保するとともに、ガイド溝１１ａの端面６ｇと奥面３ｇとがずれる方向に延在した延長部分６ｈに突部１１ｂが案内される状態で、それら端面６ｇと奥面３ｇとを離間させることで、本体部２と可動部３をより容易に相対スライドさせることが可能となる。
【００８８】
（第５実施形態）図２３〜図２７は本発明の第５実施形態を示し、前記第１実施形態と同一構成部分に同一符号を付して重複する説明を省略して述べるものとする。図２３は、薬剤噴霧器の噴霧状態の正面視を示し、（ａ）は平面図、（ｂ）は正面図、図２４は、薬剤噴霧器の噴霧状態の側面視を示し、（ａ）は（ｂ）中Ａ−Ａ線に沿った断面図、（ｂ）は側面図、図２５は、薬剤噴霧器の傾倒前段階の正面視を示し、（ａ）は（ｂ）中Ｂ−Ｂ線に沿った断面図、（ｂ）は正面図、図２６は、薬剤噴霧器の傾倒状態を示す平面図、図２７は、薬剤噴霧器の傾倒状態を示す正面図である。なお、本実施形態にあっても、薬剤噴霧器が、鼻腔内に粉末の薬剤を投与する粉末薬剤投与器として実施された場合について例示する。
【００８９】
本実施形態にかかる薬剤噴霧器１Ｄは、図２３に示すように、基本的に第１実施形態と略同様の構成となり、第１分割体としての本体部２と、本体部２に対して相対移動（相対スライド）可能に結合される第２分割体としての可動部３と、を備えて構成される。
【００９０】
本体部２にはカプセル保持部としてのカプセル挿入孔６が形成され、本体部２と可動部３とが、図２６および図２７に示すように、少なくともカプセル挿入孔６が露出する姿勢と、図２３および図２４に示すように、カプセル挿入孔６が隠される姿勢との間で、相対傾倒可能に結合される。また、本実施形態では本体部２と可動部３とは、カプセル挿入孔６が露出する姿勢とカプセル挿入孔６が隠される姿勢との間で、図２５に示すように、可動部３を本体部２に対して所定量回転（本実施形態では略４５゜）した傾倒前段階の状態が設定される。
【００９１】
そして、本体部２と可動部３とがカプセル挿入孔６が隠される姿勢にある状態では、カプセル穿刺針９の可動部３からの出口３ｋ（詳細は図２参照）がカプセル挿入孔６の開口部６ｂに臨んでカプセル穿刺針９が当該開口部６ｂ（詳細は図２参照）から当該カプセル挿入孔６の内部へ進出可能となっている。
【００９２】
図２４および図２５に示すように、可動部３には、カプセル挿入孔６を覆い本体部２と可動部３との相対傾倒前段階で移動する遮蔽部１５を有し、当該遮蔽部１５は本体部２可動部３との相対傾倒前段階でカプセル穿刺針９の進出が規制されるように構成される。カプセル挿入孔６は、第１実施形態と同様に、本体部２から突設した筒状の突起６ａに形成されて、当該突起６ａの筒内孔がカプセル挿入孔６とされる。
【００９３】
遮蔽部１５は、外周の一部が切り欠かれた略円形板状に形成され、当該遮蔽部１５は、薬剤噴霧器１Ｄを静置した状態で可動部３の下端部、詳細にはカプセル穿刺針９の下側に形成した収納室３ｐ内に、中心軸Ｃに対して直角方向の移動を可能に収納される。
【００９４】
遮蔽部１５には、カプセル挿入孔６が可動部３によって隠される姿勢、つまり、図２３および図２４に示す薬剤噴霧器の噴霧状態で、カプセル穿刺針９をカプセル挿入孔６へ向けて通過する穿刺孔１５ａが設けられている。また、遮蔽部１５は、収納室３ｐ内の移動が許容されるにしても、図示省略した係止部によって可動部３の中心軸Ｃ周りの回転に対しては一体に回転される。
【００９５】
収納室３ｐ内には本体部２から突設した円弧状の規制壁２ｆが挿入されており、当該規制壁２ｆが遮蔽部１５の切欠部１５ｂに所定のカム機能をもって嵌合可能となっている。収納室３ｐの内室形状は、遮蔽部１５の移動可能方向に長円となっており、収納室３ｐと遮蔽部１５との間には、遮蔽部１５を一方向、つまり、穿刺孔１５ａがカプセル穿刺針９の進出方向からずらす方向に押圧付勢するスプリング１６が設けられる。
【００９６】
規制壁２ｆは、図２４に示すように、可動部３が初期状態（噴霧状態）の回転位置にある時は、遮蔽部１５をスプリング１６の付勢力に抗して強制的に他方向（図中下方）に移動させ、穿刺孔１５ａをカプセル穿刺針９の進出方向と一致させる。この状態で、カプセル穿刺針９の進出が可能となる。また、規制壁２ｆは、カプセル８をカプセル挿入孔６に挿入する際のガイドとしても機能する。
【００９７】
次に、可動部３を、図２５に示すように傾倒前段階に回転した時は、規制壁２ｆによる遮蔽部１５の矯正力が解除されてスプリング１６によって遮蔽部１５を一方向に押しやり、穿刺孔１５ａをカプセル穿刺針９の進出方向からずらせる。この状態で、カプセル穿刺針９は遮蔽部１５に邪魔されて進出が阻止され、このようにカプセル穿刺針９の進出が阻止された状態で、可動部３は、図２６および図２７に示すように傾倒される。このとき、遮蔽部１５は可動部３と共に傾倒される。
【００９８】
突起６ａの筒外面には、第１実施形態（図４参照）と同様に、ガイド溝１１ａが形成されるとともに、アーム部３ｄにはガイド溝１１ａ，１１ａに挿入される突部１１ｂが形成される。ガイド溝１１ａは、円筒状の突起６ａの中心軸について対称（軸対称）に形成されており、各アーム部３ｄ，３ｄにおいて突起６ａの筒外面との当接面に突設された突部１１ｂが、それぞれ対応するガイド溝１１ａに挿入されている。
【００９９】
ここで、ガイド溝１１ａは、図２５および図２７に部分的に示すように、周方向に沿って延在する周方向延在部１１ｃと、図２３に示すように、円筒状の突起６ａの軸方向に沿って延在する軸方向延在部１１ｄとを有する略Ｌ字状に形成されている。
【０１００】
そして、周方向延在部１１ｃに沿った突部１１ｂの移動によって、図２３の姿勢と図２５の姿勢との間における、本体部２と可動部３との中心軸Ｃ回りの相対回動が規定されるとともに、軸方向延在部１１ｄに沿った突部１１ｂの移動によって、図２５の姿勢と図２７の姿勢との間における、本体部２と可動部３との相対傾倒が規定される。このとき、突部１１ｂを中心軸として可動部３を本体部２に対して傾倒させることで、図２７に示すように、本体部２と可動部３とが略直角に屈曲した姿勢を取り得るようにしてある。なお、この場合、アーム部３ｄにガイド溝１１ａを形成し、突起６ａに突部１１ｂを設けてもよい。
【０１０１】
ここで、薬剤噴霧器１Ｄの薬剤噴霧動作は、まず、図２６および図２７の状態で、可動部３によって被覆されることなく外部に露出したカプセル挿入孔６にカプセル８を嵌め込んだ後、傾倒状態にある可動部３を図２５に示すように起立させ、その後、図２３および図２４に示すように、可動部３を中心軸Ｃ周りに回転して初期状態に戻す。この状態で、カプセル挿入孔６の開口部６ｂをアーム部３ｄの奥面３ｇで塞いで噴霧可能状態となる。その後は第１実施形態と同様に、本体部２のスライダ９ａを下方にスライドさせてカプセル穿刺針９によってカプセル８の上下に穿孔し、その後、スライダ９ａを元の状態（図２３参照）まで上方にスライドさせてカプセル穿刺針９を針格納部３ｊに戻す。
【０１０２】
したがって、本実施形態の薬剤噴霧器１Ｄによれば、本体部２と可動部３との相対傾倒前段階（図２５参照）で、遮蔽部１５によってカプセル穿刺針９の進出が規制されるため、噴霧状態以外では当該遮蔽部１５によってカプセル穿刺針９が可動部３から露出するのを抑制することができる。  また、遮蔽部１５によってカプセル穿刺針９の進出が規制されることにより、図２６および図２７に示すように、本体部２に対して可動部３を傾倒させる動作を円滑に行うことができる。
【０１０３】
また、遮蔽部１５は、カプセル挿入孔６が可動部３によって隠される姿勢、つまり、図２３および図２４に示す噴霧状態では、当該遮蔽部１５に設けた穿刺孔１５ａを通してカプセル穿刺針９をカプセル挿入孔６に通過させることができる。このため、遮蔽部１５を設けた場合にも、薬剤の噴霧時には前記各実施形態と同様にカプセル穿刺針９によってカプセル８を穿孔することができる。
【０１０４】
以上、本発明の好適な実施形態について説明したが、本発明は上記実施形態には限定されず、種々の変形が可能である。
【０１０５】
本発明は、粉末薬剤を手動で鼻腔や口腔等の内部に噴出させる薬剤噴霧器に利用することができる。
【図面の簡単な説明】
【０１０６】
【図１】本発明の第１実施形態にかかる薬剤噴霧器の外観を示す正面図である。
【図２】本発明の第１実施形態にかかる薬剤噴霧器の縦断面図である。
【図３】本発明の第１実施形態にかかる薬剤噴霧器の斜視図である。
【図４】本発明の第１実施形態にかかる薬剤噴霧器に設けられるガイド機構を成す突起の斜視図である。
【図５】本発明の第１実施形態にかかる薬剤噴霧器の斜視図であって、第２分割体を第１分割体に対して中心軸の周方向に相対回動させた状態を示す図である。
【図６】本発明の第１実施形態にかかる薬剤噴霧器の斜視図であって、第２分割体を第１分割体に対して中心軸の軸方向に沿って離間させた状態を示す図である。
【図７】本発明の第１実施形態にかかる薬剤噴霧器の斜視図であって、第２分割体を第１分割体に対して略直角に傾倒させた状態を示す図である。
【図８】本発明の第１実施形態にかかる薬剤噴霧器の斜視図であって、第２分割体を第１分割体に対して略直角に傾倒させた状態を図７の反対側から見た図である。
【図９】本発明の第１実施形態にかかる薬剤噴霧器の側面図であって第１分割体と第２分割体との相対移動の各段階を示す図である。
【図１０】本発明の第１実施形態にかかる薬剤噴霧器の縦断面図であって、カプセル挿入孔に挿入したカプセルにカプセル穿刺針を突き刺す前の状態を示す図である。
【図１１】本発明の第１実施形態にかかる薬剤噴霧器の縦断面図であって、カプセルにカプセル穿刺針を突き刺した状態を示す図である。
【図１２】本発明の第１実施形態にかかる薬剤噴霧器の縦断面図であって、カプセルにカプセル穿刺針を突き刺した後、カプセル穿刺針を針格納部に戻した状態を示す図である。
【図１３】図２のXIII−XIII断面図である。
【図１４】本発明の第１実施形態にかかる薬剤噴霧器の外皮部の斜視図である。
【図１５】本発明の第２実施形態にかかる薬剤噴霧器の外観を示す正面図である。
【図１６】本発明の第２実施形態にかかる薬剤噴霧器の外観を示す側面図である。
【図１７】本発明の第２実施形態にかかる薬剤噴霧器の第１分割体と第２分割体との相対スライド状態を示す側面図である。
【図１８】本発明の第３実施形態にかかる薬剤噴霧器の外観を示す正面図である。
【図１９】本発明の第３実施形態にかかる薬剤噴霧器の外観を示す側面図である。
【図２０】本発明の第３実施形態にかかる薬剤噴霧器の第１分割体と第２分割体との相対傾倒状態を示す側面図である。
【図２１】本発明の第４実施形態にかかる薬剤噴霧器の噴霧状態を示し、（ａ）は平面図、（ｂ）は正面図である。
【図２２】本発明の第４実施形態にかかる薬剤噴霧器の薬剤投与状態を示し、（ａ）は平面図、（ｂ）は正面図である。
【図２３】本発明の第５実施形態にかかる薬剤噴霧器の噴霧状態の正面視を示し、（ａ）は平面図、（ｂ）は正面図である。
【図２４】本発明の第５実施形態にかかる薬剤噴霧器の噴霧状態の側面視を示し、（ａ）は（ｂ）中Ａ−Ａ線に沿った断面図、（ｂ）は側面図である。
【図２５】本発明の第５実施形態にかかる薬剤噴霧器の傾倒前段階の正面視を示し、（ａ）は（ｂ）中Ｂ−Ｂ線に沿った断面図、（ｂ）は正面図である。
【図２６】本発明の第５実施形態にかかる薬剤噴霧器の傾倒状態を示す平面図である。
【図２７】本発明の第５実施形態にかかる薬剤噴霧器の傾倒状態を示す正面図である。
【符号の説明】
【０１０７】
１、１Ａ、１Ｂ、１Ｃ、１Ｄ  薬剤噴霧器
２  本体部（第１分割体，空気圧送機構）
２ａ  空気室
３  可動部（第２分割体）
３ｄ  アーム部
３ｇ  奥面
３ｋ  出口
５  空気通路
６  カプセル挿入孔（カプセル保持部）
６ｂ  開口部
６ｅ  側壁
６ｆ  筒外面（外側）
６ｇ  端面（上側壁）
８  カプセル
９  カプセル穿刺針
１０  薬剤
１１  ガイド機構
１１ａ  ガイド溝
１１ｂ  突起
１１ｄ  軸方向延在部
１５  遮蔽部
１５ａ  穿刺孔
【図１】
2008080118.tif 000003
【図２】
2008080118.tif 000004
【図３】
2008080118.tif 000005
【図４】
2008080118.tif 000006
【図５】
2008080118.tif 000007
【図６】
2008080118.tif 000008
【図７】
2008080118.tif 000009
【図８】
2008080118.tif 000010
【図９】
2008080118.tif 000011
【図１０】
2008080118.tif 000012
【図１１】
2008080118.tif 000013
【図１２】
2008080118.tif 000014
【図１３】
2008080118.tif 000015
【図１４】
2008080118.tif 000016
【図１５】
2008080118.tif 000017
【図１６】
2008080118.tif 000018
【図１７】
2008080118.tif 000019
【図１８】
2008080118.tif 000020
【図１９】
2008080118.tif 000021
【図２０】
2008080118.tif 000022
【図２１】
2008080118.tif 000023
【図２２】
2008080118.tif 000024
【図２３】
2008080118.tif 000025
【図２４】
2008080118.tif 000026
【図２５】
2008080118.tif 000027
【図２６】
2008080118.tif 000028
【図２７】
2008080118.tif 000029